(57)【要約】      （修正有）【課題】放熱可能であり別の放熱体と結合可能である固定台にＬＥＤを直接に結合可能とする。【解決手段】ＬＥＤ１０と、固定台２０とを少なくとも含み、ＬＥＤ１０の一側には螺旋１１１が設けられた凸連接部１１が設けてあり、螺旋１１１によりＬＥＤ１０が固定台２０と結合可能であるＬＥＤ用結合装置において、固定台２０は、放熱機能が極めて高い金属製のものであり、その中心に開放空間２１が開設してあり、開放空間２１の内面にはＬＥＤ１０の凸連接部１１に設けられた螺旋１１１と螺合するねじ山２１１が設けてあることを特徴とするＬＥＤ用結合装置。【選択図】図２
0003138403.tif 000002
【実用新案登録請求の範囲】
【請求項１】
一側には螺旋が設けられた凸連接部が設けてあることを特徴とする、ＬＥＤの構造。
【請求項２】
ＬＥＤと、固定台と、を少なくとも含み、前記ＬＥＤの一側には螺旋が設けられた凸連接部が設けてあり、前記螺旋によりＬＥＤが固定台と結合可能であるＬＥＤ用結合装置において、前記固定台は、放熱機能が極めて高い金属製のものであり、その中心に開放空間が開設してあり、前記開放空間の内面には前記ＬＥＤの凸連接部に設けられた螺旋と螺合するねじ山が設けてあることを特徴とする、ＬＥＤ用結合装置。
【請求項３】
前記固定台の開放空間は、ＬＥＤの凸連接部の構造に嵌め合い可能の任意の形状に変更可能なことを特徴とする、請求項２に記載のＬＥＤ用結合装置。
【考案の詳細な説明】
【技術分野】
【０００１】
本考案は、ＬＥＤの構造及びその結合装置に関するものである。
【背景技術】
【０００２】
一般に、従来のＬＥＤは、アルミ基板に溶接され、さらに放熱フィンに貼り付けられる。
【考案の開示】
【考案が解決しようとする課題】
【０００３】
しかしながら、これは次のような欠点があった。
（１）従来のＬＥＤの放熱は、熱がアルミ基板を経由して放熱フィンにて大気中に放熱するが、熱が経由する部材が多いほど、放熱可能の熱が少なくなる。その原因は、熱が経由する部材は熱を多く吸収してしまう為である。
【０００４】
（２）また、ＬＥＤが溶接する従来のアルミ基板は、アルミの価格が値上がりすることによって、製品の生産コストが増加する。
【０００５】
これらを解決するために、本考案は、放熱台座にＬＥＤを直接に結合可能であるＬＥＤの構造及びその結合装置を提供する。
【０００６】
また、本考案は放熱可能であり別の放熱体と結合可能である固定台にＬＥＤを直接結合可能であるＬＥＤの構造及びその結合装置を提供することを目的とする。
【課題を解決するための手段】
【０００７】
上記目的を達成するためになされた本願の考案は、一側には螺旋が設けられた凸連接部が設けてあることを特徴とするＬＥＤの構造であることを具備している。
【０００８】
また、本考案に係るＬＥＤ用結合装置では、ＬＥＤと、固定台と、を少なくとも含み、前記ＬＥＤの一側には螺旋が設けられた凸連接部が設けてあり、前記螺旋によりＬＥＤが固定台と結合可能であるＬＥＤ用結合装置において、前記固定台は、放熱機能が極めて高い金属製のものであり、その中心に開放空間が開設してあり、前記開放空間の内面には前記ＬＥＤの凸連接部に設けられた螺旋と螺合するねじ山が設けてあることを特徴とする。
【０００９】
また、本願の考案では、前記固定台の開放空間は、ＬＥＤの凸連接部の構造に合い可能の任意の形状にされてもいいことを特徴とする。
【考案の効果】
【００１０】
本考案のＬＥＤの構造とその結合装置によれば、次のような効果がある。
（１）本考案のＬＥＤの構造とその結合装置は、ＬＥＤの一側に結合構造を有する凸連接部が設けてあり、且つ高放熱機能を持つ金属製の固定台の中心に開放空間が開設してあり、前記開放空間の内周がＬＥＤの凸連接部に嵌め合い可能な形状にされ、固定台にＬＥＤを直接に結合可能であるので、溶接材料やネジなどが一切必要なくなり、構造は極めて簡易になる。
【００１１】
（２）また、本考案のＬＥＤの構造とその結合装置は、固定台にＬＥＤを直接に結合可能であり、固定台は高放熱機能を持つ金属製のものであるため、ＬＥＤからの熱は固定台にて直接に放熱され、放熱効果が従来のものより良好になる。そして、全体構造が簡易になるため、生産コストを低減することが可能である。
【考案を実施するための最良の形態】
【００１２】
以下、添付図面を参照して本考案の好適な実施の形態を詳細に説明する。
【００１３】
図１、図２、図３Ａ及び図３Ｂに示すように、本考案のＬＥＤの構造及びその結合装置は、複数のＬＥＤ１０と、複数の固定台２０と、を少なくとも含み、前記ＬＥＤ１０の一側には螺旋１１１が設けられた凸連接部１１が設けてあり、前記螺旋１１１によりＬＥＤ１０が固定台２０と結合可能である。なお、前記固定台２０は、放熱機能が極めて高い金属製のものであり、その中心に開放空間２１が開設してあり、前記開放空間２１の内面には前記ＬＥＤ１０の凸連接部１１に設けられた螺旋１１１と螺合するねじ山２１１が設けてあり、これにより、前記固定台２０は前記ＬＥＤ１０と螺合可能である。また、図３Ｃに示すように、前記固定台２０の開放空間２１は必要に応じてブラインドホール（凹形状）にしてもよく、また、前記固定台２０の材質は高放熱機能を持つ別の金属（例えば銅やアルミなど）を採用してもよい。また、図３Ｄに示すように、前記ＬＥＤ１０の凸連接部１１に設けられた螺旋１１１ａを内ねじに変更してもよく、この場合、前記固定台２０の開放空間２１が凸連接部１１に設けられた内ねじと螺合する外ねじに変更される。
【００１４】
また、図４、図５、図６及び図７に示すように、本考案のＬＥＤの構造及びその結合装置の別の実施例は、ＬＥＤ１０ａにある凸連接部１１ａが別の嵌合方式に変更される。例えば凸連接部１１ａをＴ字形断面レールに変更する場合には、固定台２０ａの開放空間２１ａも前記凸連接部１１ａに嵌め合い可能の形状に変更され、これにより、ＬＥＤ１０ａは固定台２０ａと嵌合して結合可能となる。また、図１１及び図１２に示すように、前記固定台２０ａの開放空間２１ａをＴ字形断面レールと嵌合可能で左右対称な開放空間２１ｂ、２１ｃに変更してもよい。
【００１５】
また、図８、図９及び図１０を、本考案のＬＥＤの構造及びその結合装置の使用方法を、図１３、図１４、図１５Ａ、図１５Ｂ、図１６、図１７、図１８及び図１９Ａに示すように、固定台２０、２０ａにＬＥＤ１０、１０ａを直接に結合した後に、これらを独立放熱体３０に固定してもいいし、固定台２０、２０ａの一側に開放空間２２、２２ａを設けて独立放熱体３０ａ、３０ｂを開放空間２２、２２ａに嵌め込んでもよい。そうすると、固定台２０、２０ａを独立放熱体３０ａ、３０ｂに結合可能であり、上記と同じように、図１９Ｄに示すように、固定台２０ｂの一側にＬＥＤ１０ｂにある凸連接部１１ｂを直接に嵌め込んで結合してもよい。固定台２０、２０ａに設けられた開放空間２２、２２ａに独立放熱体３０ａ、３０ｂを嵌め込んで結合した後、一般の結合方法（例えば半田）によってこれらをしっかりと固定可能である。なお、独立放熱体３０ｃの一端を平面にする場合には、図１９Ｃに示すように、ＬＥＤ１０に前記独立放熱体３０ｃを直接に接触可能であり、これにより、ＬＥＤ１０、１０ａの放熱効果が更に向上可能である。そうすると、独立放熱体を様々な形状に変更してＬＥＤの放熱効果を更に向上可能である。例えば独立放熱体３０、３０ａ、３０ｂ及び３０ｃを円形断面の熱伝導チューブや薄くて長い熱伝導チューブにしてもいいし、独立放熱体をアルミ基板にしてもよい。この場合には、図２０、図２１Ａ及び図２１Ｂに示すように、アルミ基板である独立放熱体３０ｄの上では内ねじ３１１ｄが設けられた貫通孔３１ｄが複数に開設してあり、前記貫通孔３１ｄによりＬＥＤ１０は独立放熱体３０ｄと螺合して使用可能となる。なお、独立放熱体３０、３０ａ、３０ｂ、３０ｃ及び３０ｄと固定台２０、２０ａとの結合方式は、勿論、締まり嵌めなどの方式を採用してもよい。
【図面の簡単な説明】
【００１６】
【図１】本考案の分解斜視図１である。
【図２】本考案の分解斜視図２である。
【図３Ａ】本考案の組合状態の斜視図である。
【図３Ｂ】図３Ａにおける３Ｂ-３Ｂ線の断面図である。
【図３Ｃ】本考案の固定台の開放空間の別の実施例の断面図である。
【図３Ｄ】本考案のＬＥＤの凸連接部の別の実施例の断面図である。
【図４】本考案の別の実施例の分解斜視図１である。
【図５】本考案の別の実施例の分解斜視図２である。
【図６】本考案の別の実施例の組合状態の斜視図１である。
【図７】本考案の別の実施例の組合状態の斜視図２である。
【図８】本考案の使用状態を示す分解斜視図である。
【図９】本考案の組合状態の使用状態を示す斜視図である。
【図１０】本考案の別の実施例の組合状態の使用状態を示す斜視図である。
【図１１】本考案の別の実施例の固定台の別の実施態様である。
【図１２】本考案の別の実施例の固定台の更に別の実施態様である。
【図１３】独立放熱体に本考案を結合した状態の分解斜視図１である。
【図１４】独立放熱体に本考案を結合した状態の分解斜視図２である。
【図１５Ａ】独立放熱体に本考案を結合した状態の組合状態を示す斜視図である。
【図１５Ｂ】図１５Ａにおける１５Ｂ-１５Ｂ線の断面図である。
【図１６】独立放熱体に本考案の別の実施例を結合した状態の分解斜視図１である。
【図１７】独立放熱体に本考案の別の実施例を結合した状態の分解斜視図２である。
【図１８】独立放熱体に本考案の別の実施例を結合した状態の組合状態を示す斜視図１である。
【図１９Ａ】独立放熱体に本考案の別の実施例を結合した状態の組合状態を示す斜視図２である。
【図１９Ｂ】図１９Ａにおける１９Ｂ-１９Ｂ線の断面図である。
【図１９Ｃ】独立放熱体に本考案を結合する別の実施例の断面図である。
【図１９Ｄ】固定台に本考案のＬＥＤを直接に嵌合する状態の断面図である。
【図２０】アルミ基板に本考案を結合した状態の分解斜視図である。
【図２１Ａ】アルミ基板に本考案を結合した状態の組合状態を示す斜視図である。
【図２１Ｂ】アルミ基板に本考案を結合した状態の一部の拡大図である。
【符号の説明】
【００１７】
１０、１０ａ、１０ｂ            ＬＥＤ
１１、１１ａ、１１ｂ            凸連接部
２０、２０ａ、２０ｂ            固定台
２１、２１ａ                    開放空間
２２，２２ａ                    嵌合溝
３０                            独立放熱体
３０ａ，３０ｂ，３０ｃ，３０ｄ  独立放熱体
３１ｄ                          貫通孔
１１１                          螺旋
２１１                          ねじ山
３１１ｄ                        内ねじ
【図１】
0003138403.tif 000003
【図２】
0003138403.tif 000004
【図３Ａ】
0003138403.tif 000005
【図３Ｂ】
0003138403.tif 000006
【図３Ｃ】
0003138403.tif 000007
【図３Ｄ】
0003138403.tif 000008
【図４】
0003138403.tif 000009
【図５】
0003138403.tif 000010
【図６】
0003138403.tif 000011
【図７】
0003138403.tif 000012
【図８】
0003138403.tif 000013
【図９】
0003138403.tif 000014
【図１０】
0003138403.tif 000015
【図１１】
0003138403.tif 000016
【図１２】
0003138403.tif 000017
【図１３】
0003138403.tif 000018
【図１４】
0003138403.tif 000019
【図１５Ａ】
0003138403.tif 000020
【図１５Ｂ】
0003138403.tif 000021
【図１６】
0003138403.tif 000022
【図１７】
0003138403.tif 000023
【図１８】
0003138403.tif 000024
【図１９Ａ】
0003138403.tif 000025
【図１９Ｂ】
0003138403.tif 000026
【図１９Ｃ】
0003138403.tif 000027
【図１９Ｄ】
0003138403.tif 000028
【図２０】
0003138403.tif 000029
【図２１Ａ】
0003138403.tif 000030
【図２１Ｂ】
0003138403.tif 000031